(57)【要約】【課題】遊技機のスイッチの交換作業を簡易にすることができ、さらに、不正なスイッチの取り外しを抑制できる遊技機を提供する。【解決手段】本体枠２と、その前面５側の一部を覆い操作部材が備えられる第１前面カバー部材４０と、第１前面カバー部材に隣接した第２前面カバー部材３４を備え、第１，第２前面カバー部材の少なくとも一方は、本体枠を露出させる開放状態と、本体枠の一部を覆う閉止状態との間で移行可能であり、第１前面カバー部材は、第２前面カバー部材側に向けて開口する開口部と、開口部を覆う蓋部材８０とを備え、操作部材は蓋部材を取り外すことにより開口部を介して第１前面カバー部材から着脱自在に構成され、蓋部材は第１，第２前面カバー部材が共に閉止状態である場合に着脱不能に構成され、第１，第２前面カバー部材のいずれか一方が開放状態である場合に蓋部材の覆いが解除され、蓋部材が着脱可能となる。【選択図】図３
2011010720.tif 000002
【特許請求の範囲】
【請求項１】
本体枠と、前記本体枠の前面側の一部を覆うと共に遊技者が操作可能な操作部を有する操作部材が備えられる第１前面カバー部材と、前記第１前面カバー部材に隣接して前記本体枠の前面側の一部を覆う第２前面カバー部材とを備え、
前記第１前面カバー部材及び前記第２前面カバー部材の少なくとも一方は、前記本体枠の一部を露出させる開放状態と、前記本体枠の一部を覆う閉止状態との間で移行可能とした遊技機において、
前記第１前面カバー部材は、前記第２前面カバー部材側に向けて開口する開口部と、前記開口部を覆う蓋部材とを備え、
前記操作部材は、前記蓋部材を取り外すことにより前記開口部を介して前記第１前面カバー部材から着脱自在に構成され、
前記蓋部材は、前記第１前面カバー部材及び前記第２前面カバー部材が共に前記閉止状態である場合に前記第２前面カバー部材によって前記蓋部材の少なくとも一部が覆われることで着脱不能に構成され、
前記第１前面カバー部材又は前記第２前面カバー部材のいずれか一方が前記開放状態である場合に前記第２前面カバー部材による前記蓋部材の覆いが解除され、前記蓋部材が着脱可能となることを特徴とする遊技機。
【請求項２】
前記第１前面カバー部材及び前記第２前面カバー部材が前記閉止状態である場合、前記第２前面カバー部材の少なくとも一部が前記蓋部材の取り外し方向に位置することを特徴とする請求項１に記載の遊技機。
【請求項３】
前記蓋部材が、前記開口部に係止されて該開口部を覆う蓋本体部と、前記第１前面カバー部材に固定される固定部と、を備えることを特徴とする請求項１または２に記載の遊技機。
【請求項４】
前記第１前面カバー部材及び前記第２前面カバー部材が共に前記閉止状態であるとき、前記固定部が前記第１前面カバー部材及び前記第２前面カバー部材の間に位置することを特徴とする請求項３に記載の遊技機。
【請求項５】
前記蓋部材の前記固定部の左右方向の長さが前記蓋本体部の幅よりも長く構成されていることを特徴とする請求項３または４に記載の遊技機。
【請求項６】
前記蓋部材は前記第１前面カバー部材に取り付けるための取付部材を備え、前記第１前面カバー部材及び前記第２前面カバー部材が共に前記閉止状態であるとき、前記取付部材が前記第２前面カバー部材に覆われることを特徴とする請求項１ないし５のいずれか１項に記載の遊技機。
【請求項７】
前記操作部材は、遊技者により操作される操作部として遊技スイッチと、前記遊技スイッチを格納するケース体からなるスイッチユニットとして構成されていることを特徴とする請求項１ないし６のいずれか１項に記載の遊技機。
【請求項８】
前記操作部材に係着突部が設けられ、前記第１前面カバー部材の前記操作部材を収容する収容部に前記係着突部と係着する係着受部が設けられていることを特徴とする請求項１ないし７のいずれか１項に記載の遊技機。
【発明の詳細な説明】
【技術分野】
【０００１】
本発明は、遊技機に関し、特に遊技機の正面側に備えられ遊技者が操作する操作部材の交換を簡便とし、さらに不正な交換も排除できる遊技機に関する。
【背景技術】
【０００２】
パチンコ遊技機等の遊技機においては、その正面側に位置する前面枠が本体枠に対して開閉可能に取り付けられている。この前面枠には遊技者が遊技球を購入するための玉貸しスイッチやプリペイドカードの返却スイッチに加え、遊技の演出時のキャラクタの選択等に用いる遊技スイッチ等も取り付けられている（例えば、特許文献１等参照）。
【０００３】
前記のスイッチは使用により破損、故障する場合がある。そこで新しいスイッチに交換する必要がある。交換が必要な場合、従前の遊技機においては前面枠の細かな部品を分解してからスイッチを取り出して交換を行わなければならなかった。あるいは、前面枠全体を交換する必要があった。このように、スイッチの交換は決して容易ではなかった。また、単にスイッチを簡単に交換できる構造にするだけでは、スイッチの固定が不十分となることに加え、スイッチの固定箇所が遊技機に対する不正行為に脆弱となるおそれがある。
【０００４】
そこで、スイッチの交換作業に伴う煩雑さの軽減、簡素化を実現すると共に、スイッチの固定、交換に伴う部材の不正行為からの防御対策も考慮した遊技機が望まれるに至った。
【先行技術文献】
【特許文献】
【０００５】
【特許文献１】特開２００６−３４８０５号公報
【発明の概要】
【発明が解決しようとする課題】
【０００６】
本発明は、上記状況に鑑み提案されたものであり、遊技機のスイッチの交換作業を簡易にすることができ、さらに、不正なスイッチの取り外しを抑制できる遊技機を提供する。
【課題を解決するための手段】
【０００７】
すなわち、請求項１の発明は、本体枠と、前記本体枠の前面側の一部を覆うと共に遊技者が操作可能な操作部を有する操作部材が備えられる第１前面カバー部材と、前記第１前面カバー部材に隣接して前記本体枠の前面側の一部を覆う第２前面カバー部材とを備え、前記第１前面カバー部材及び前記第２前面カバー部材の少なくとも一方は、前記本体枠の一部を露出させる開放状態と、前記本体枠の一部を覆う閉止状態との間で移行可能とした遊技機において、前記第１前面カバー部材は、前記第２前面カバー部材側に向けて開口する開口部と、前記開口部を覆う蓋部材とを備え、前記操作部材は、前記蓋部材を取り外すことにより前記開口部を介して前記第１前面カバー部材から着脱自在に構成され、前記蓋部材は、前記第１前面カバー部材及び前記第２前面カバー部材が共に前記閉止状態である場合に前記第２前面カバー部材によって前記蓋部材の少なくとも一部が覆われることで着脱不能に構成され、前記第１前面カバー部材又は前記第２前面カバー部材のいずれか一方が前記開放状態である場合に前記第２前面カバー部材による前記蓋部材の覆いが解除され、前記蓋部材が着脱可能となることを特徴とする遊技機に係る。
【０００８】
請求項２の発明は、前記第１前面カバー部材及び前記第２前面カバー部材が前記閉止状態である場合、前記第２前面カバー部材の少なくとも一部が前記蓋部材の取り外し方向に位置することを特徴とする請求項１に記載の遊技機に係る。
【０００９】
請求項３の発明は、前記蓋部材が、前記開口部に係止されて該開口部を覆う蓋本体部と、前記第１前面カバー部材に固定される固定部と、を備えることを特徴とする請求項１または２に記載の遊技機に係る。
【００１０】
請求項４の発明は、前記第１前面カバー部材及び前記第２前面カバー部材が共に前記閉止状態であるとき、前記固定部が前記第１前面カバー部材及び前記第２前面カバー部材の間に位置することを特徴とする請求項３に記載の遊技機に係る。
【００１１】
請求項５の発明は、前記蓋部材の前記固定部の左右方向の長さが前記蓋本体部の幅よりも長く構成されていることを特徴とする請求項３または４に記載の遊技機に係る。
【００１２】
請求項６の発明は、前記蓋部材は前記第１前面カバー部材に取り付けるための取付部材を備え、前記第１前面カバー部材及び前記第２前面カバー部材が共に前記閉止状態であるとき、前記取付部材が前記第２前面カバー部材に覆われることを特徴とする請求項１ないし５のいずれか１項に記載の遊技機に係る。
【００１３】
請求項７の発明は、前記操作部材は、遊技者により操作される操作部として遊技スイッチと、前記遊技スイッチを格納するケース体からなるスイッチユニットとして構成されていることを特徴とする請求項１ないし６のいずれか１項に記載の遊技機に係る。
【００１４】
請求項８の発明は、前記操作部材に係着突部が設けられ、前記第１前面カバー部材の前記操作部材を収容する収容部に前記係着突部と係着する係着受部が設けられていることを特徴とする請求項１ないし７のいずれか１項に記載の遊技機に係る。
【発明の効果】
【００１５】
請求項１の発明に係る遊技機によると、本体枠と、前記本体枠の前面側の一部を覆うと共に遊技者が操作可能な操作部を有する操作部材が備えられる第１前面カバー部材と、前記第１前面カバー部材に隣接して前記本体枠の前面側の一部を覆う第２前面カバー部材とを備え、前記第１前面カバー部材及び前記第２前面カバー部材の少なくとも一方は、前記本体枠の一部を露出させる開放状態と、前記本体枠の一部を覆う閉止状態との間で移行可能とした遊技機において、前記第１前面カバー部材は、前記第２前面カバー部材側に向けて開口する開口部と、前記開口部を覆う蓋部材とを備え、前記操作部材は、前記蓋部材を取り外すことにより前記開口部を介して前記第１前面カバー部材から着脱自在に構成され、前記蓋部材は、前記第１前面カバー部材及び前記第２前面カバー部材が共に前記閉止状態である場合に前記第２前面カバー部材によって前記蓋部材の少なくとも一部が覆われることで着脱不能に構成されるため、前記第１前面カバー部材又は前記第２前面カバー部材のいずれか一方が前記開放状態である場合に前記第２前面カバー部材による前記蓋部材の覆いが解除され、前記蓋部材が着脱可能となるため、遊技機のスイッチの交換作業を簡易にすることができ、さらに、不正なスイッチの取り外しを抑制することができる。
【００１６】
請求項２の発明に係る遊技機によると、請求項１の発明において、前記第１前面カバー部材及び前記第２前面カバー部材が前記閉止状態である場合、前記第２前面カバー部材の少なくとも一部が前記蓋部材の取り外し方向に位置するため、第１前面カバー部材及び第２前面カバー部材が閉止状態にあるときの蓋部材を外部から着脱不能としている。
【００１７】
請求項３の発明に係る遊技機によると、請求項１または２の発明において、前記蓋部材が、前記開口部に係止されて該開口部を覆う蓋本体部と、前記第１前面カバー部材に固定される固定部と、を備えるため、蓋本体部は開口部を覆う目的に、固定部は蓋部材自体の固定目的とすることができ、部材の機能を単純化して強度を高めることができる。
【００１８】
請求項４の発明に係る遊技機によると、請求項３の発明において、前記第１前面カバー部材及び前記第２前面カバー部材が共に前記閉止状態であるとき、前記固定部が前記第１前面カバー部材及び前記第２前面カバー部材の間に位置するため、いったん第１前面カバー部材及び第２前面カバー部材の双方が閉止状態となると、第１前面カバー部材または第２前面カバー部材のいずれかが開放状態とならなければ蓋部材の取り外しが行えないため、不正な取り外しに対する抑制効果が高まる。
【００１９】
請求項５の発明に係る遊技機によると、請求項３または４の発明において、前記蓋部材の前記固定部の左右方向の長さが前記蓋本体部の幅よりも長く構成されているため、第１前面カバー部材及び第２前面カバー部材の双方側から覆われる部分が多くなり、蓋部材を第１前面カバー部材に取り付けた際の固定部の取り付け強度を高めることができるため、蓋部材の破損や安易な脱離を回避することができる。
【００２０】
請求項６の発明に係る遊技機によると、請求項１ないし５のいずれかの発明において、前記蓋部材は前記第１前面カバー部材に取り付けるための取付部材を備え、前記第１前面カバー部材及び前記第２前面カバー部材が共に前記閉止状態であるとき、前記取付部材が前記第２前面カバー部材に覆われるため、蓋部材と第２前面カバー部材との間から取付部材を取り外しあるいは破壊することは困難となり、取付部材の防御性能が高められ、蓋部材の第２前面カバー部材からの着脱は不能となる。
【００２１】
請求項７の発明に係る遊技機によると、請求項１ないし６のいずれかの発明において、前記操作部材は、遊技者により操作される操作部として遊技スイッチと、前記遊技スイッチを格納するケース体からなるスイッチユニットとして構成されているため、スイッチの交換は容易となる。
【００２２】
請求項８の発明に係る遊技機によると、請求項１ないし７のいずれかの発明において、前記操作部材に係着突部が設けられ、前記第１前面カバー部材の前記操作部材を収容する収容部に前記係着突部と係着する係着受部が設けられているため、操作部材は簡単に第１前面カバー部材から脱離できず、安定した第１前面カバー部材への固定を実現することができる。
【図面の簡単な説明】
【００２３】
【図１】本発明の一実施例に係る遊技機の正面図である。
【図２】前面枠の開放状態を示す斜め上方からの斜視図である。
【図３】前面枠の開放状態を示す斜め下方からの斜視図である。
【図４】上側貯留皿の斜視図である。
【図５】上側貯留皿の上面図である。
【図６】上側貯留皿の第１分解斜視図である。
【図７】上側貯留皿の第２分解斜視図である。
【図８】操作部材の上方側からの分解斜視図である。
【図９】操作部材の下方側からの分解斜視図である。
【図１０】上側貯留皿の下方側からの分解斜視図である。
【図１１】蓋部材の全体斜視図である。
【図１２】図１のＸ−Ｘ線の断面図である。
【図１３】図１２のＱ１部分の拡大図である。
【図１４】図１２のＱ２部分の拡大図である。
【図１５】下側貯留皿が開放状態の断面図である。
【図１６】図１５のＱ３部分の拡大図である。
【図１７】第２実施例の蓋部材の主要部拡大図である。
【図１８】第３実施例の蓋部材の主要部拡大図である。
【発明を実施するための形態】
【００２４】
図１に示す遊技機１はこの発明の一実施例に係るパチンコ遊技機（弾球遊技機）である。以下、弾球遊技機を遊技機１の例として説明する。遊技機１の枠組みを構成する本体枠２の内に遊技盤３が着脱交換可能に収容される。遊技盤３に発射装置３８から弾発発射された遊技球を遊技領域８へ誘導する外側ガイドレール１４及び内側ガイドレール１３が略円形に立設される。内側ガイドレール１３に囲まれた遊技領域８の中心線上にその上部から下部に向けて順に画像表示装置９、普通電動役物の第１始動入賞口１１、同じく普通電動役物であり可動片１０を有する第２始動入賞口１２、特別電動役物であり開閉扉１６を備えた大入賞口１５、アウト口１７が配設される。画像表示装置９の上方（紙面左側）に普通図柄変動開始用ゲート１９、その下に風車２２、その下方に左袖入賞口２３、さらに左落とし入賞口２４と右落とし入賞口２５が配設されている。符号４は遊技機の前面枠である。
【００２５】
画像表示装置９は、液晶、ドットマトリックスもしくはＬＥＤ表示装置等の表示装置からなり、この実施例ではカラー表示可能な液晶表示器（ＴＦＴ−ＬＣＤモジュール）等からなる図柄表示装置２０を内部に備えている。図柄表示装置２０は、数字、アルファベット、記号あるいは絵（キャラクタ）等の普通図柄または特別図柄を変動表示及び停止表示可能としている。画像表示装置９の枠部の内部には遊技盤を転動する遊技球を第１，第２始動入賞口１１，１２へ誘導する誘導流路１８が設けられている。
【００２６】
図１の遊技機１の前面側には、遊技状態を報知するランプ表示器３５，３６、払出装置（図示せず）から払い出された遊技球を貯留するための上側貯留皿４０、上側貯留皿４０の飽和時の遊技球を受けるための下側貯留皿３４、遊技領域の上側に設置され音声や効果音を発して遊技状態を遊技者に報知するスピーカ３７、遊技者による操作ハンドル３９（操作手段）の発射操作に応じて遊技球を遊技領域８に向けて弾発発射する発射装置３８（図２参照）等がそれぞれ組み付けられている。
【００２７】
発射装置３８は、操作ハンドル３９と、該操作ハンドルの操作により駆動する発射モータと、この発射モータの駆動により間欠的に揺動して遊技球を弾発発射する打球杆（共に図示せず）とを有する。なお、遊技者が操作ハンドル３９を握持すると、遊技者の生体電流等がタッチ検知器（回路）により検知され、操作ハンドルを操作（回動）すると発射装置制御基板の制御を受け発射モータが駆動し、発射モータに連動して駆動する発射槌により発射レールに配置された遊技球を弾発するように構成されている。発射装置３８により発射された遊技球は、外側ガイドレール１４及び内側ガイドレール１３により遊技領域８へ誘導される。遊技領域８に誘導された遊技球は、転動しつつ下方へ落下し、各入賞口に入賞するか、あるいは何処にも入賞しなければ前記アウト口１７から遊技盤３の裏側へ排出される。
【００２８】
図２及び図３は遊技機１の本体枠２から前面枠４を開放した状態を示す。本体枠２に対し前面枠４の一端側はフック部２ｈにより軸着され、その前面枠４の前面５側に上側貯留皿４０は一体に形成される。実施例の「上側貯留皿４０」は、前面枠４の前面５側の一部を覆うと共に、遊技者が操作可能な操作部（後記の第１遊技スイッチ６１、第２遊技スイッチ６５等）を有する操作部材６が備えられる「第１前面カバー部材」に相当する。また、下側貯留皿３４は前記の前面枠４と独立しており、単独で本体枠２に対し一端側が軸着される。実施例の「下側貯留皿３４」は、上側貯留皿４０（第１前面カバー部材）に隣接して配置され、同じく前面枠４の前面５側の部位の一部を覆っている「第２前面カバー部材」に相当する。以下、第１前面カバー部材を上側貯留皿４０とし、第２前面カバー部材を下側貯留皿３４として説明する。
【００２９】
実施例では上側貯留皿４０は前面枠４と一体化し、下側貯留皿３４は前面枠４と独立しているので、前面枠４を伴った上側貯留皿４０（第１前面カバー部材）及び下側貯留皿３４（第２前面カバー部材）の少なくとも一方（本実施例では両方）は、本体枠２の一部を露出させる開放状態（図２，３参照）と、前面枠４の一部を覆う閉止状態（図１参照）との間で軸支による回動のため移行可能となる。なお、第１前面カバー部材は上側貯留皿に、第２前面カバー部材は下側貯留皿に限られることはなく、本体枠の前面側の一部を覆う互いに隣接位置にある部材について適用できる。
【００３０】
図２、図３において、前面枠４は遊技機の装飾枠、透明枠を兼ねているため、同前面枠４に透明板Ｃｂ（ガラス板）が装着される。前記の各種入賞口への入賞に伴い払い出される賞球は、上皿連通口２７、上皿球出口２６を通じて上側貯留皿４０内に誘導される。上側貯留皿４０内から溢れた遊技球は下皿球出口２８を経由して下側貯留皿３４に送られここに貯留される。下皿レバー３４ｒのスライド操作により下皿球抜き穴３４ｅは開口する。下側貯留皿３４内に貯留された遊技球を下側貯留皿３４から遊技店が用意する貯留箱（図示せず）に移すことができる。特に図３から把握されるように、遊技機１の本体枠２の背面には、各種制御基板を収容する機構枠体１００が接続される。また、上側貯留皿４０の下側に後に詳述する蓋部材８０が備えられる。
【００３１】
これより図４ないし図１６を用い、上側貯留皿４０（第１前面カバー部材）及びこれに関連する部材について説明する。図４は前面枠４から上側貯留皿４０を取り外したときの上側貯留皿４０を正面側からみた斜視図であり、図５はその上面図である。上側貯留皿４０は適宜の意匠形状に形成され、当該上側貯留皿において、上皿球出口２６を通じて払い出される遊技球は貯留部４１内にいったん蓄えられる。貯留部４１は上皿装飾部４２、スイッチ配置部４３、貯留壁部４４、上皿固定プレート４０Ｂに囲まれてすり鉢状となる。上側貯留皿の遊技者側手前に位置する上皿装飾部４２には遊技機の装飾性を高めるため、ＬＥＤ等の電飾が施される。同じく上側貯留皿の遊技者側手前に位置するスイッチ配置部４３には、遊技球の弾発発射以外の遊技に関する操作時に用いられる操作部材６の他、遊技球の球貸し等の操作に用いる球用操作部７０等が配置される。貯留壁部４４は上皿装飾部４２と一体化している。上皿固定プレート４０Ｂは上側貯留皿４０を前面枠４の所定位置に取り付ける際の連結部材である。また、蓋部材８０はほぼ操作部材６の直下に位置し、操作部材６の交換時に取り外される。
【００３２】
図５の上面図に基づき、操作部材６に含まれる部材を説明する。遊技機１の操作部材６は、遊技者からの操作を受けつける各種のスイッチを含む部材であり、図示しないハーネスやコネクタ等も当該操作部材６に備えられる。そして、第１遊技スイッチ６１と第２遊技スイッチ６５の２個の遊技スイッチはケース体５０Ｃ内に格納される。さらに、第１，第２遊技スイッチ６１，６５とケース体５０Ｃによりスイッチユニット５０が構成される。実施例の第１遊技スイッチ６１は、主に遊技演出上のキャラクタや演出場面等の決定時に使用される。第２遊技スイッチ６５は、主に遊技演出上のキャラクタの移動や演出場面等の選択に使用される。むろん、これ以外にもキャラクタ自体の動作方向、その行動の操作等においても適宜両遊技スイッチは組み合わされる。従って、図柄表示装置２０に表示される画像を見るだけの受動的な遊技から、遊技演出に参加できる能動的な遊技が可能である。操作部材６に含まれるスイッチユニット５０や遊技スイッチの詳細は追って詳述する。
【００３３】
球用操作部７０には、遊技機１の外部あるいは遊技店側に設置されたカードユニット等を通じ遊技店から遊技球を借り受ける際に使用する球貸しスイッチ７１、遊技を終えて残存する遊技球を遊技店に返却する際に使用する球返却スイッチ７２等のスイッチ類が配置される。また、遊技球を借り受けるためのプリペイドカードの残存度数を表示する度数表示部７３も備えられる。
【００３４】
貯留部４１の右奥側に発射供給路４１ｉが設けられ、ここに進入した遊技球は発射装置の発射レール上に誘導され、発射槌により遊技領域８へ向けて弾発発射される。さらに、貯留部４１内に遊技球が溜まりすぎて溢れそうになった場合、上皿球抜きボタン７４を押下することにより、発射供給路４１ｉを経由して球抜き出口４１ｊから下側貯留皿３４内に貯留される。
【００３５】
図６及び図７は上側貯留皿４０の視点を変えて示す分解斜視図である。図６からわかるように、スイッチユニット５０は上側貯留皿４０に対し着脱自在であり、スイッチ配置部４３に備えられた上皿スイッチ収容部４５内の所定位置に装着、収容される。符号５８はスイッチユニット５０（ケース体５０Ｃ）に設けられた挿入突部である。説明の便宜上、各種スイッチと遊技機の基板とを配線接続するハーネスやコネクタ類に関する図示を省略した。
【００３６】
一般に、スイッチユニットの第１，第２遊技スイッチ６１，６５は他のスイッチと比較して使用頻度が高く、また、操作も複雑である。そのため、遊技スイッチ自体に損傷が生じやすい。このことから、遊技スイッチの着脱、交換を容易にすべきことが求められる。そこで、図示実施例の操作部材６ように、スイッチユニット５０（ケース体５０Ｃ）ごと取り外し、また装着可能とした。
【００３７】
図７を用い上皿スイッチ収容部４５の内部についてさらに説明する。上皿スイッチ収容部４５の内部形状は、スイッチユニット５０（ケース体５０Ｃ）を受け入れ可能とし、上側貯留皿４０の左右方向（長手方向）に形成された長尺の凹状である。ケース体５０Ｃの挿入突部５８は挿入穴４８に挿入され、固定時のスイッチユニットの位置決めに用いられる。上皿スイッチ収容部４５内には、スイッチユニット５０（ケース体５０Ｃ）と上側貯留皿４０とをねじにより固定するための上皿ねじ穴４９が設けられる。また、上皿スイッチ収容部４５内には、後出のケース体５０Ｃの下部に設けられている係着突部５７（図９参照）と係着する係着受部４７（嵌合穴）も設けられる。その他、ケース体５０Ｃ下部のねじ等の凹凸に対応した調整穴ｈ、ハーネス配線が挿通される配線穴等も適宜備えられる。
【００３８】
図８の上方側からの分解斜視図及び図９の下方側からの分解斜視図を用い、遊技機１における操作部材６の詳細について説明する。実施例の操作部材６には、２個の遊技スイッチ、第１遊技スイッチ６１と第２遊技スイッチ６５がケース体５０Ｃ内に格納されスイッチユニット５０及び図示しないハーネスやコネクタ等が含まれる構成である。むろん、前出の球貸しスイッチや球返却スイッチを備えたユニットが含まれる場合もある。スイッチユニット５０を構成するケース体５０Ｃには、第１遊技スイッチ６１が格納される第１スイッチ収容凹部５１と、第２遊技スイッチ６５が格納される第２スイッチ収容凹部５６が設けられる。第１，第２スイッチ収容凹部５１，５６はケース体５０Ｃの上面５０ｕから掘り下げられており、第１スイッチ収容凹部５１に第１スイッチ壁部５２、第２スイッチ収容凹部５６に第２スイッチ壁部５３が形成される。第１，第２スイッチ収容凹部５１，５６の形状、大きさ、配置等は、当該収容凹部に格納される遊技スイッチの形状、大きさによる。操作部材６がスイッチユニット５０を含んでなる構成とするため、当該操作部材６のスイッチユニット５０ごと交換するだけで遊技スイッチの交換ができるのでスイッチの交換は容易となる。特に実施例のようにスイッチが複数ある場合に便利である。
【００３９】
第１遊技スイッチ６１はプッシュスイッチと称され、遊技者からの操作を受ける被操作部６１ｐ、上本体部６２ａ、下本体部６２ｂ等により構成される。各部はねじ穴６４に挿通されるねじ等により一体に組み合わせられる。第１遊技スイッチ６１は、遊技演出上のキャラクタや演出場面等の決定時に使用されるため、押下動作がほとんどである。いわば、第１遊技スイッチ６１は遊技決定スイッチとなる。その内部には、被操作部６１ｐを所定位置に維持するばね、被操作部６１ｐの押下を検知する圧電センサが備えられる（共に図示せず）。
【００４０】
第２遊技スイッチ６５は十字スイッチと称され、遊技者からの操作を受ける被操作部６５ｐ、上本体部６６ａ、下本体部６６ｂ等により構成される。各部はねじ穴６８に挿通されるねじ等により一体に組み合わせられる。第２遊技スイッチ６５は遊技演出上のキャラクタの移動や演出場面等の選択に使用される。このため、図柄表示装置２０に表示されるキャラクタ等を任意に移動、操作させるべく、被操作部６５ｐには十字状に４方向の矢印６５α，６５β，６５γ，６５δが付されている。被操作部６５ｐを所定位置に維持するばねの他、それぞれの方向の矢印の直下には被操作部６５ｐに加えられた押下を検知する圧電センサが備えられ（共に図示せず）。いわば、第２遊技スイッチ６５は遊技選択操作スイッチとなる。
【００４１】
図９から理解できるように、第１遊技スイッチ６１の下本体部６２ｂに固定ねじ穴６３が設けられ、第２遊技スイッチ６５の下本体部６６ｂに固定ねじ穴６７が設けられる。ケース体５０Ｃの第１スイッチ壁部５２の下部にも、前記の固定ねじ穴の位置に対応したケース側固定ねじ穴５５ａ，５５ｂが形成される。そこで、ケース側固定ねじ穴５５ａから固定ねじ穴６３へ、ケース側固定ねじ穴５５ｂから固定ねじ穴６７へねじが挿入され、互いに螺合されて遊技スイッチはケース体に固定される。第１遊技スイッチ６１及び第２遊技スイッチ６５はケース体５０Ｃに対してそれぞれが着脱可能であり、交換する必要のある遊技スイッチのみを取り外して交換できる。
【００４２】
ケース体５０Ｃの下部（図示では第１スイッチ壁部５２の底面）に設けられた係着突部５７（嵌合突部）は鉤状の部材である。操作部材６（スイッチユニット５０）を上側貯留皿４０の上皿スイッチ収容部４５に取り付けるとき、はじめに係着突部５７は前出の上皿スイッチ収容部４５内の係着受部４７に挿入される。そして、スイッチユニット５０は係着突部５７の鉤部分の先端方向（上側貯留皿４０の左から右）にスライド移動される。こうして、係着突部５７の鉤部分は係着受部４７に食い込み、互いに係着される。このとき、挿入穴４８と係合する挿入突部５８も位置決めに用いられる。係着突部５７と係着受部４７が係着（かみ合わせによる結合）した状態では、操作部材６（スイッチユニット５０）は簡単に上側貯留皿４０から脱離できず、安定して上側貯留皿（第１前面カバー部材）に固定することができる。
【００４３】
操作部材６（スイッチユニット５０）を上側貯留皿４０の上皿スイッチ収容部４５に取り付けてスライド移動により係合して位置合わせを終えた後、上皿ねじ穴４９から上皿固定ねじ穴５４にねじが挿通される。そこで、操作部材６（スイッチユニット５０）は上側貯留皿４０へ固定される。図示ではハーネス等の配線を省略しているものの、必要箇所に適式に配線接続される。
【００４４】
図１０は上側貯留皿４０の下部を表す斜視図である。上側貯留皿４０（第１前面カバー部材）の貯留部４１及びスイッチ配置部４３の直下に位置する上皿下面部９０の中央には、下側貯留皿３４（第２前面カバー部材）側に向けて開口する開口部９１が形成され、併せて、当該開口部９１を覆う蓋部材８０（図１１参照）が備えられる。
【００４５】
前述した操作部材６（スイッチユニット５０）は、蓋部材８０を取り外すことにより開口部９１を介して上側貯留皿４０（第１前面カバー部材）から着脱自在となる。具体的には、蓋本体部８１を取り外すと上皿スイッチ収容部４５の底部の上皿ねじ穴４９が確認できる。上皿ねじ穴４９にあるねじ等を外せばねじ等の固定が解除され、操作部材６（スイッチユニット５０）は上側貯留皿４０（第１前面カバー部材）から脱離する。逆に上皿ねじ穴４９に対しねじ等で固定（螺着）をすれば上皿固定ねじ穴５４にねじ等が達して固定される。
【００４６】
図１１からも把握されるように、蓋部材８０は、開口部９１に係止され同開口部を覆う蓋本体部８１と、上側貯留皿４０（第１前面カバー部材）に固定する時に用いられる固定部８５を備える。開口部９１の手前側（上皿装飾部４２側）には蓋部材８０と係止される係止受け部９２が形成され、開口部９１の左右には蓋部材８０の蓋本体部８１の右側部８３を受け止める右開口受け部９３、蓋本体部８１の左側部８４を受け止める左開口受け部９４が備えられる。また、蓋部材８０の固定部８５を受け止めると共に同固定部８５を上側貯留皿４０に接続、固定するため、固定部８５の形状に合わせて上皿接続固定部９５が形成される。実施例の蓋部材８０によると、蓋本体部８１は開口部９１を覆う目的となり、また、固定部８５は蓋部材８０自体の固定目的となる。そこで、部材の機能を単純化して強度を高めることができる。
【００４７】
蓋部材８０の蓋本体部８１の先端位置には係止片部８２が設けられ、前記の係止受け部９２に引っかけられる（後記図１４等参照）。蓋本体部８１と一体化している固定部８５は断面視Ｌ字状の構造であり、固定部８５の正面に正面壁部８６、下部に固定板部８７が形成される。図示から自明なように、固定部８５の左右方向の長さ（横幅）Ｗ１は、蓋本体部８１の幅Ｗ２よりも長く構成されている。従って、上側貯留皿４０（第１前面カバー部材）及び下側貯留皿３４（第２前面カバー部材）の双方側から覆われる部分が多くなり、蓋部材８０を上側貯留皿４０（第１前面カバー部材）に取り付けた際の固定部の取り付け強度を高めることができ、蓋部材の破損や安易な脱離を回避することができる。
【００４８】
蓋部材８０を上側貯留皿４０（第１前面カバー部材）に取り付けて固定する場合、実施例では、固定部８５の固定部ねじ穴８８から上皿接続固定部９５のねじ受け穴９７にねじ（図示省略）が挿通され、双方は固定される。この実施例では、蓋部材８０における固定部ねじ穴８８とここに挿通される「ねじ」が、取付部材となる。むろん、ねじ以外にも樹脂製等の固定ピンを用いることもできる。
【００４９】
図１２は図１の主にＸ−Ｘ線付近の縦断面図である。図示の蓋部材８０と、その直上の上側貯留皿４０（第１前面カバー部材）と、その直下の下側貯留皿３４（第２前面カバー部材）との固定、位置関係から容易に理解できるように、上側貯留皿４０（第１前面カバー部材）及び下側貯留皿３４（第２前面カバー部材）が共に閉止状態（図１，図１２等参照）である場合、下側貯留皿３４（第２前面カバー部材）により、蓋部材８０の少なくとも一部は覆われる。図示では蓋部材８０の固定部８５が下側貯留皿３４の上辺部３４ｔと隣接しており、上側貯留皿４０（第１前面カバー部材）及び下側貯留皿３４（第２前面カバー部材）が共に閉止状態であるとき、蓋部材８０の固定部８５は当該上側貯留皿４０（第１前面カバー部材）及び下側貯留皿３４（第２前面カバー部材）の間に位置する。この位置関係から明らかなように、蓋部材８０の固定部８５は、いったん上側貯留皿４０（第１前面カバー部材）及び下側貯留皿３４（第２前面カバー部材）の双方が閉止状態となると、双方側から覆われる部分が多くなり、不正な取り外しに対する抑制効果が高まる。この場合、上側貯留皿４０（第１前面カバー部材）または下側貯留皿３４（第２前面カバー部材）の少なくともいずれかが開放状態とならなければ蓋部材８０を取り外すことはできない。
【００５０】
特に図１３の拡大図（図１２のＱ１部分）からもわかるように、蓋部材８０の固定部８５を構成する固定板部８７は下側貯留皿３４の上辺部３４ｔとほぼ隙間なく接している。そこで、ねじ等の蓋部材８０と上側貯留皿４０との固定に用いられる取付部材は、下側貯留皿３４（第２前面カバー部材）により覆われる。このことによって、蓋部材８０と下側貯留皿３４との間からの適宜の部材を用いて蓋部材８０を上側貯留皿４０に取り付けるねじ等の取付部材を取り外しあるいは破壊することは困難となり、取り付け後のねじ等の取付部材の防御性能が高められる。このため、蓋部材８０は下側貯留皿３４（第２前面カバー部材）によって上側貯留皿４０から着脱不能となる。
【００５１】
図１４の拡大図（図１２のＱ２部分）は蓋部材８０の蓋本体部８１の先端位置（係止片部８２）付近を示す。同図から理解されるように、蓋部材８０が上側貯留皿４０（第１前面カバー部材）の開口部９１を覆っているとき、係止片部８２が開口部９１の手前側（上皿装飾部４２側）の係止受け部９２の上に乗りかかって重なる。係止片部８２を係止受け部９２に組み合わせることにより、蓋部材８０の開口部９１に対する位置決めは容易となる。また、係止受け部９２と重なる係止片部８２を備えることにより、蓋本体部８１の先端位置において、不正行為を行う針金等の挿入を抑止できる。符号９２ｅは係止受け部の末端部である。
【００５２】
図１５の部分断面図は下側貯留皿３４（第２前面カバー部材）の本体枠２からの開放状態を示す。開放状態につき下側貯留皿３４の図示は省略される。上側貯留皿４０（第１前面カバー部材）または下側貯留皿３４（第２前面カバー部材）のいずれか一方（図示では下側貯留皿３４）が開放状態である場合、下側貯留皿３４（第２前面カバー部材）による蓋部材８０の覆いが解除される。そして、蓋部材８０が上側貯留皿４０の開口部９１に着脱可能となる。
【００５３】
特に図１２及び図１５の相違から理解できるように、上側貯留皿４０（第１前面カバー部材）及び下側貯留皿３４（第２前面カバー部材）が閉止状態である場合、下側貯留皿３４（第２前面カバー部材）の少なくとも一部（実施例では上辺部３４ｔ）が当該蓋部材８０の取り外し方向、つまり、上側貯留皿４０の開口部９１の下方に位置する。下側貯留皿３４は蓋部材８０の取り外し方向へ配置することによって、下側貯留皿の閉止状態にあるときの蓋部材を外部から着脱できなくしている。
【００５４】
下側貯留皿３４（第２前面カバー部材）の閉止状態が解除されて開放状態となることによって、下側貯留皿３４の上辺部３４ｔと蓋部材８０の固定部８５にある固定板部８７との隣接状態（接触状態）も解除される。そのため、上側貯留皿４０に取り付けられている蓋部材８０の固定板部８７が露出する。下側貯留皿３４の開放状態のときのみ固定板部８７の固定部ねじ穴８８に挿入されているねじ（取付部材）を認識して取り外すことができ、蓋部材８０を上側貯留皿４０から取り外すことができる。
【００５５】
図１６の拡大図（図１５のＱ３部分）は、蓋部材８０の取り外し状態を表す。下側貯留皿３４（第２前面カバー部材）が開放状態となり、蓋部材８０のねじ（取付部材）が外されると、固定部８５は上皿接続固定部９５から離れ蓋部材８０の下側は遊離した状態となる。しかし、前出の図１２，１４参照のとおり、蓋部材８０が上側貯留皿４０の開口部９１を覆っているとき、蓋本体部８１の先端の係止片部８２は開口部９１の手前側（上皿装飾部４２側）の係止受け部９２の上に乗りかかって重なっている。
【００５６】
係止片部８２は係止受け部９２の抵抗を受けることから、一時的に双方とも当接した状態のまま蓋部材８０の下方の固定部８５が手前側に回動する（図１５、図１６参照）。上側貯留皿４０の開口部９１から回動して蓋部材８０を取り外す様子からわかるように、係止片部８２と係止受け部９２が係合しているので蓋部材８０の下方の固定部８５側は先に大きく下側貯留皿３４（第２前面カバー部材）側に下がる。また、蓋本体部８１の先端の係止片部８２と開口部９１の係止受け部９２との接触により蓋部材８０の回動の方向が規制される。下側貯留皿３４（第２前面カバー部材）の開放状態を十分としなければ、蓋部材８０の固定部８５側が下側貯留皿３４に接触して取り外しの邪魔となり、上側貯留皿４０から蓋部材８０を取り外し難い状態となる。
【００５７】
つまり、図示の遊技機では、下側貯留皿３４（第２前面カバー部材）が十分に開放状態となり、蓋部材８０の下方側が十分に開けた状態となったときに、はじめて上側貯留皿４０（第１前面カバー部材）から蓋部材８０を取り外ことができる。そのため、上側貯留皿４０（第１前面カバー部材）及び下側貯留皿３４（第２前面カバー部材）の双方が閉止状態にあるときには、蓋部材８０を容易に取り外すことはできなくなり、蓋部材８０の防犯性能をより向上することができる。逆に、上側貯留皿４０（第１前面カバー部材）側が開放状態となって、蓋部材８０の下方側に該蓋部材の取り外しが可能となる程度に下側貯留皿３４（第２前面カバー部材）との間に空間が生じた際も上側貯留皿４０（第１前面カバー部材）から蓋部材８０を取り外すことができる。
【００５８】
これまでに図示し詳述してきた実施例に加え、例えば図１７，図１８の第２実施例の蓋部材８０Ｓ，第３実施例の蓋部材８０Ｔを用いることができる。両図とも前出の図１４の拡大図に対応する。前掲の図１４の拡大断面図に示されるように、開口部９１の手前側（上皿装飾部側）に当たる係止受け部９２の末端部９２ｅは、蓋部材８０と隙間を設けず接合させる必要上、鋭角に形成される。このため、不用意に末端部９２ｅに触れてしまうとけがをするおそれもある。蓋部材８０の固定の便宜上、係止受け部９２の末端部９２ｅ自体の形状を変えることはできない場合に、蓋部材側の形状を改良することにより安全性を高めることができる。
【００５９】
図１７の蓋部材８０Ｓにあっては、蓋本体部８１の先端に位置する係止片部８２の直下に段部８９ｓが備えられる。係止受け部９２から蓋本体部８１にかけての曲面部分に段部８９ｓが備えられるため、末端部９２ｅよりも先に段部８９ｓに触れることになる。そこで、作業者が誤って末端部９２ｅに触れるおそれを低下させることができる。
【００６０】
図１８の蓋部材８０Ｔにあっては、蓋本体部８１の先端に位置する係止片部８２の直下に半球状突部８９ｔが備えられる。前記図１７の段部８９ｓよりも丸みを備える。そのため、同様に、誤って末端部９２ｅに触れるおそれが低下される。また、作業者は、半球状突部８９ｔを通じて末端部９２ｅの存在を意識でき、注意喚起される。
【００６１】
本発明は実施例に図示した構成に限定されることはなく、発明の趣旨を逸脱しない限り他の遊技機にも適用することができる。例えば、主に第１前面カバー部材を上側貯留皿として説明しているが、上側貯留皿とは別部材のカバー部材に適用することは可能である。同様に、第２前面カバー部材を下側貯留皿としているが他のカバー部材を用いることも可能である。また、操作部材は実施例の遊技スイッチに限られることはなく、遊技機に必要とされる各種のスイッチに対して適用可能である。加えて、パチンコ遊技機のみの適用に限られることはなく、アレンジボール遊技機、スロットマシン等の適宜の遊技機にも適用することができる。
【符号の説明】
【００６２】
１  遊技機
２  本体枠
３  遊技盤
５  前面
６  操作部材
２０  図柄表示装置
３４  下側貯留皿（第２前面カバー部材）
４０  上側貯留皿（第１前面カバー部材）
４５  上皿スイッチ収容部
４７  係着受部
５０  スイッチユニット
５０Ｃ  ケース体
５１  第１スイッチ収容凹部
５６  第２スイッチ収容凹部
５７  係着突部
６１  第１遊技スイッチ
６５  第２遊技スイッチ
８０，８０Ｓ，８０Ｔ  蓋部材
８１  蓋本体部
８５  固定部
９１  開口部
９５  上皿接続固定部
【図１】
2011010720.tif 000003
【図２】
2011010720.tif 000004
【図３】
2011010720.tif 000005
【図４】
2011010720.tif 000006
【図５】
2011010720.tif 000007
【図６】
2011010720.tif 000008
【図７】
2011010720.tif 000009
【図８】
2011010720.tif 000010
【図９】
2011010720.tif 000011
【図１０】
2011010720.tif 000012
【図１１】
2011010720.tif 000013
【図１２】
2011010720.tif 000014
【図１３】
2011010720.tif 000015
【図１４】
2011010720.tif 000016
【図１５】
2011010720.tif 000017
【図１６】
2011010720.tif 000018
【図１７】
2011010720.tif 000019
【図１８】
2011010720.tif 000020